(57)【特許請求の範囲】
【請求項１】
両側板と、該両側板の下端を連結する底板を有する所要長さのＵ字形本体と、該Ｕ字形本体の前端と後端とに夫々設けられた閉鎖板を有する原水用汚泥槽Ａと、該原水用汚泥槽Ａと同じ構成を有し、それに並列されて一体に連結された原水用凝集槽Ｂと、該原水用汚泥槽Ａ及び該原水用凝集槽Ｂと同じ構成で所要の長さを有し、該原水用汚泥槽Ａ及び該原水用凝集槽Ｂに隣接して配置された沈降槽Ｃと、該沈降槽Ｃと同じ構成で所要の長さを有し、該沈降槽Ｃに隣接して配置された濾過槽Ｄと、該閉鎖板に夫々設けられた所要厚みの浮力シートと、該原水用汚泥槽Ａ及び該原水用凝集槽Ｂの前端、該沈降槽Ｃの後端、該濾過槽Ｄの前後端とに夫々設けられた浮力補助タンクＥと、該汚泥槽Ａに設けられた処理する原水を吸引するポンプと、該沈降槽Ｃ及び該濾過槽の上端部の長手方向で外側に形成された三角形突起縁と、該三角形突起縁に設けられ、該沈降槽Ｃと該濾過槽Ｄとを接続する鋼製Ｕ字形縦通連結チャネルと、該沈降槽Ｃと該濾過槽Ｄとの該各閉鎖板の上端部近くで両端内側と下端部近くの一端側に穿設された貫通孔に設けられたダクトフランジと、該ダクトフランジに貫通されたダクトと、手摺を有し、該沈降槽Ｃと該濾過槽Ｄの一方又は両方の該両側板の上端部に設けられたメンテナンス作業用通路とを有する浮遊型水質浄化装置。
【請求項２】
一個の箱体をその中間部で所要の体積に区画して形成された該原水用汚泥槽Ａと該原水用凝集槽Ｂとして成る請求項１の浮遊型水質浄化装置。
【請求項３】
該沈降槽及び該濾過槽の該正面閉鎖板と該背面閉鎖板の上端縁を内側に部分的に折曲げた事を特徴とする請求項１又は２記載の浮遊型水質浄化装置。
【請求項４】
該原水用汚泥槽、該原水用凝集槽、該沈降槽、該濾過槽及び該ダクトを合成繊維強化プラチック（ＦＲＰ）製として成る請求項１、２又は３記載の浮遊型水質浄化装置。
【請求項５】
該原水汚泥槽Ａ、該凝集槽Ｂ、該沈降槽Ｃ及び該濾過槽Ｄの該各底板で長手方向先端部の該閉鎖板の一方寄りに排水孔を形成し、該排水孔に蝶番を介して蓋を開閉自在に設け、該蓋に設けられた連結桿の先端部に操作桿の下端を接続し、該操作桿の上端に傘歯車又はウォーム・ギアとウォーム機構等を介してハンドルを設け、該ハンドルの回転により該蓋を開閉する請求項１〜４のいずれかに記載の浮遊型水質浄化装置。
【発明の詳細な説明】
【技術分野】
【０００１】
この発明は、浮遊型水質浄化装置に関し、更に詳しくは閉鎖性水域浄化装置で特に都市近くの貯水池、湖沼、灌漑用池又は農業池等に発生するアオコ等の浮遊藻類の浮遊型水質浄化装置に関する。
【背景技術】
【０００２】
わが国には、約220万個の貯水池、湖沼、灌漑用池又は農業池等があり、その中で約８００個の貯水池、湖沼、灌漑用池又は農業池等に於いて温度が高い季節アオコ等の浮遊藻類が繁殖するので悪臭が発生し、景観を損なうので、その緊急な対策が要望されており、アオコ等の浮遊藻類の回収に莫大な作業と費用とを要すると懸念されている。
【０００３】
従って、貯水池、湖沼、灌漑用池又は農業池等水面の水表層流化のために所要個所で循環化が必須である。水面近辺で浮上性の膜状群体を形成するプランクトン等の大量発生をより効果的に抑制することを可能とする水面流発生装置としては、例えば、
【特許文献１】特開平１１−７０，３０６（水域浄化設備、水域浄化用マット、水域浄化用の押え杭用案内装置、ヘドロ回収設備および濾過式水域浄化装置の濾過材支持体）、
【特許文献２】特開平２０００−３０３，４３８（水質浄化装置および水質浄化方法）、
【特許文献３】特開平２０００−３３４，４９３（表層水流発生ポンプシステム及び表層水流発生方法）、
【特許文献４】特開平２０００−３３６，６３７（浮上式吸水設備）、
【特許文献５】特開平２００１−７０,９６５（水処理装置）、
【特許文献６】特開平２００１−２９５，２３８（水面流発生装置）等が挙げられる。
【発明の開示】
【発明が解決しようとする課題】
【０００４】
アオコ等の浮遊藍藻類には、アナベナ、オシラトリア、ミクロキスティス等があり、アオコの特性としては、数μｍ藻類で群体をなしているが、植物の光合成により細胞分裂を繰返し、一日で倍増してガス胞を有するから表層水に浮遊し、夜は酸素が不足するから魚類が死滅して水面を覆い、そのタンパク質が腐敗して耐え難い悪臭を発生する。
【０００５】
アオコ等の浮遊藍藻類は、（１）水中に栄養塩（リン・窒素）が多く、（２）日照があり、（３）水温が２５℃以上となり、（４）滞留水域であれば光合成によりその表層水域に異常に増殖することが知られており、これら条件のひとつでも欠ければアオコ等の浮遊藍藻類は発生しない。
【０００６】
そこでアオコ等の浮遊藻類の繁殖を防止する対策として、（１）水中に栄養塩の流入を抑制又は除去し、（２）テント等で遮光し、（３）底水表層を上下に循環させ、（４）表層水を循環させ、（５）次亜塩素酸等の薬剤で処理し、（６）繁殖したアオコを凝集・沈殿し、加圧浮上させ、回収して除去することが考慮される。
【０００７】
従来実施されている浄化対策としては、
（ａ）曝気を目的として底泥栄養塩の溶出を抑制し、表層水域を上下に循環させ、滞留を防止して溶存酸素量（DO）を増加させ、生物を活性化して食物連鎖をさせるが、処理作業と費用が増加して現実的でない。
【０００８】
（ｂ）植生を目的として栄養塩を吸収する方法もあるが、長時間を要し、藻類の根に微生物が付着して分解するから所望の効果が得られない。
【０００９】
（ｃ）表層水の滞留を防止するために噴水させるが、当該部分の表層水のみの還流となるので効果的でない。
【００１０】
（ｄ）都市近くの貯水池、湖沼、灌漑用池又は農業池等に発生するアオコ等の浮遊藻類の繁殖を防止する対策として、栄養塩を除去するためにリンを０．０４ｐｐｍ、窒素を０．７ｐｐｍとし、凝集剤で粗大化して濾過する方法もあるが、その装置が大規模となるので経済的でない。
【００１１】
（ｅ）アオコ等の浮遊藻類の増殖を抑えるため、水温を低下させことが考慮されるが、対象水量が大量であるから現実的でない。
【００１２】
（ｆ）アオコ等の浮遊藻類の光合成による増殖を抑えるため、表層水をテント等で遮光しようとしても、競艇場全水面の１／３以上の面積であるから実施不可能である。
【００１３】
（ｇ）回収されるアオコ等の浮遊藻類の対象粒径は、数μｍ〜数１０μｍであるから、凝集して濾過すると直ちに目詰まりをおこすので使用できなくなり、その結果装置が大掛かりとなり、更に汚泥処理が必要となる。
【００１４】
（ｈ）更に、次亜塩素酸ナトリウム溶液でアオコ等の浮遊藻類を消毒・殺菌する方法も考慮されるが、薬害の問題があるので採用されない。
【００１５】
（ｉ）そこで原水槽、腐敗槽、曝気槽等から成る浄化槽をコンクリート製大形浮遊型水質浄化装置とすることが提案されている。しかしコンクリート製大形浮遊型水質浄化装置は、大形なので輸送の関係上浮遊される貯水池、湖沼、灌漑用池又は農業池等の現場で製造されなければならない。
その結果貯水池、湖沼、灌漑用池又は農業池等に通じる新たなアクセス道路を設置する必要があり、自然界を破壊し、又は自然に悪影響を与えることが避けられない。従って現場に於けるコンクリート打込作業と土木工事とが必要となる。
【００１６】
（ｊ）加えて閉鎖性水域浄化用のコンクリート製大形浮遊型水質浄化装置は、各水質浄化装置ユニットの長さが数メータであるから、これらユニットを水面に降ろして所要個所に曳航し、複数のユニットを水面上で連結し、ユニット内に水を導入して浮遊型水質浄化装置の深度を調整することは極めて困難であり、製作、移動、組立も容易でない。
【課題を解決するための手段】
【００１７】
この発明は、処理する原水を吸引するポンプを有する原水汚泥槽、原水凝集槽、沈降槽及び濾過槽の側壁板、Ｕ字形本体、閉鎖板、仕切板等を合成繊維強化プラスチック製として成る浮遊型水質浄化装置である。
【発明の効果】
【００１８】
（１）この発明に係る処理する原水を吸引するポンプを有する原水槽、腐敗槽、曝気槽等を合成繊維強化プラスチック製として成るものであるから、貯水池、湖沼、灌漑用池又は農業池等に設置するだけでなく、工場に於ける大量生産が可能となり、工場から所望設置個所への運搬も容易となり、設置したその周辺へのアオコ等の浮遊藻類の発生を抑制又は防止する。
【００１９】
（２）その結果、水循環作用によって酸素を多く含んだ表層水を底層水と混合させて溶存酸素量（ＤＯ）を回復し、好気性微生物が活発に活動して水を浄化する。
【００２０】
（３）そして底層水が好気的条件となり、鉄、マンガン、アンモニア、硫化水素、栄養塩等水質障害の原因物質の溶出を抑制できる効果も得られる。
【発明を実施するための最良の形態】
【００２１】
この発明は、アオコ等の浮遊藻類の浮遊型水質浄化装置に於いて、処理する原水を吸引するポンプを有する原水用汚泥槽と、原水用凝集槽と、該原水用汚泥槽と原水用凝集槽に配置された沈降槽と、該沈降槽に配置された濾過槽と、該沈降槽と該凝集槽の各側板と一体で底板を形成するＵ字形本体と、該各Ｕ字形本体の該両側板上端部に長手方向に設けられ、該沈降槽と該凝集槽とを接続する鋼製Ｕ字形縦通連結チャネルと、該沈降槽及び該濾過槽の該各閉鎖板の上端部近くで両端内側と下端部近くの一端側に穿設された貫通孔に設けられたダクト・フランジと、該ダクト・フランジに貫通されたダクトと、該原水用汚泥槽と該原水用凝集槽との前端、該沈降槽の後端及び該濾過槽の前後端に夫々設けられた浮力補助タンクと、該Ｕ字形本体の一方又は両方の側板の上端部で長手方向に設けられたメンテナンス作業用通路と、該メンテナンス作業用通路に設けられた手摺とから成る浮遊型水質浄化装置である。
【実施例１】
【００２２】
請求項１記載の発明に係る浮遊型水質浄化装置の実施例を添付図面について説明する。図１は、この発明に係る浮遊型水質浄化装置の一部切欠平面略図である。
【００２３】
図１、４〜６に示す通り、所要の厚み、高さ及び奥行きとを有する原水用汚泥槽Ａと原水用汚泥槽Ｂとを並列させて一体に連結し、或は一個の所要大きさを有する箱体をその中間部で区画して該原水用汚泥槽Ａと該原水用とする。該汚泥槽Ａと該凝集槽Ｂに隣接して沈降槽Ｃを配置し、該汚泥槽Ａと該凝集槽Ｂの前端側と、該沈降槽Ｃの後端側と、該濾過槽Ｄの前後端側に夫々浮力補助タンクＥを設ける。
【００２４】
図５〜９に示す通り、該原水用汚泥槽Ａ、該原水用汚泥槽Ｂ，該沈降槽Ｃ及び該濾過槽Ｄは、夫々合成繊維強化プラスチック（ＦＲＰ）製Ｕ字形本体１０の両側板１２、１２と、それらの下端を連結する底板１２’と、上端部近くの長手方向で外側に三角形突起縁１２ａ、１２ａを形成し、該両側板１２、１２の内側と該三角形突起縁１２ａ、１２ａの内側とに所要厚みを有する硬質ウレタン、発泡スチレン等の浮力シート１８を貼付け、該原水用汚泥槽Ａ、該汚泥槽Ｂ，該沈降槽Ｃ及び該濾過槽Ｄの各閉鎖板１４にもシート１８を貼付け、図１１に示す様に、該沈降槽Ｃと該濾過槽Ｄの該側板１２上部と該鋼製Ｕ字形縦通連結チャネル２４の下部に断面直角三角形浮力体１８ａを一体に設ける。
【００２５】
該原水汚泥槽Ａ、該凝集槽Ｂ、該沈降槽C及び該濾過槽Ｄの前後端部に一体に固着される閉鎖板１４は、所要厚みと該Ｕ字形本体１０の前後端に接合される形状とを有する合成繊維強化プラスチック製板である。
【００２６】
図８、９に示す通り、請求項２に記載された該閉鎖板１４の上端部を部分的に内側に折曲げて折曲縁１４ｂとし、両側に該三角形突起縁１２ａ、１２ａに接合される突起１４ａ、１４ａを形成し、該突起１４ａ、１４ａの内側に被処理水供給用ダクト２０、２０の貫通孔１４ｃ、１４ｃを穿設し、該閉鎖板１４の一端側の下端部近くにも貫通孔１４ｄを穿設し、該貫通孔１４ｃ、１４ｃ、１４ｄ内に夫々ダクト・フランジ１４ｆを設ける。
【００２７】
該沈降槽Cと該濾過槽Ｄ内の所要個所に垂直に設けられる仕切板１６で該閉鎖板１４の該貫通孔１４ｃ、１４ｃ、１４ｄの対応個所にも夫々貫通孔（図示せず）を穿設し、該沈降槽Cと該濾過槽Ｄの上端部長手方向に交差して所要間隔で補強梁１４ｅを設けて補強する。
【００２８】
該原水汚泥槽Ａ、該凝集槽Ｂ、該沈降槽Ｃ及び該濾過槽Ｄの両端部で該Ｕ字形本体１０の該三角形突起縁１２ａ、１２ａ上に鋼製Ｕ字形縦通連結チャネル２４を設け、ボルト、ナット等で固着して該原水汚泥槽Ａ、該凝集槽Ｂ、該沈降槽Ｃ及び該濾過槽Ｄを長手方向に一体に連結し、該鋼製Ｕ字形縦通連結チャネル２４の外側に手摺２６を垂直で一体に設ける。
【００２９】
該原水汚泥槽Ａ、該凝集槽Ｂ、該沈降槽C及び該濾過槽Ｄの該閉鎖板１４の該貫通孔１４ｃ、１４ｃ、１４ｄの該ダクト・フランジ１４ｆ内にダクト２０を夫々嵌合し、これら槽を連結する。
【００３０】
図８，９に於いて、該原水汚泥槽Ａ、該凝集槽Ｂ、該沈降槽C及び該濾過槽Ｄの該各閉鎖板１４の該折曲縁１４ｂの内側で該貫通孔１４ｃに該ダクト・フランジ１４ｅを一体に設け、該ダクト・フランジ１４ｅに該ダクト２０を嵌合する。
【００３１】
図４に於いて、該沈降槽Ｃ及び該濾過槽Ｄの該両側板１２の長手方向に硬質ウレタン等の補強兼用浮力フロート１８ｂを一体に貼着して浮遊型水質浄化装置とする。
【００３２】
図７に於いて、該原水汚泥槽Ａ、該凝集槽Ｂ、該沈降槽C及び該濾過槽Ｄの各底板１２’で長手方向先端部の該閉鎖板１４の一方寄りに排水孔１２’’を形成し、該排水孔１２’’に蝶番１２ｂを介して蓋１２ｃを開閉自在に設け、該蓋１２ｃに設けた連結桿１２ｄの先端部に操作桿１２ｅの下端を垂直に接続し、該操作桿１２ｅの上端に傘歯車又はウォーム・ギアとウォーム機構等(図示せず)を介してハンドル１２ｆを設け、該ハンドル１２ｆの回転により該蓋１２ｃを開いて堆積物を該槽外に容易に排出可能となる。
【図面の簡単な説明】
【００３３】
【図１】は、この発明に係る浮遊型水質浄化装置の一部切欠平面略図である。
【図２】は、図１の浮遊型水質浄化装置のＩＩ−ＩＩ線断面略図である。
【図３】は、図１の浮遊型水質浄化装置のＩＩＩ−ＩＩＩ線拡大断面略図である。
【図４】は、図２、３に示す浮遊型水質浄化装置の他の実施例の平面略図である。
【図５】は、閉鎖板の拡大正面略図である。
【図６】は、図５の閉鎖板の一部透視平面略図である。
【図７】は、Ｕ字形本体の部分拡大断面略図である。
【図８】は、図６の閉鎖板のＶＩＩＩ―ＶＩＩＩ線断面略図である。
【図９】は、図８の閉鎖板の部分拡大線断面略図である。
【図１０】は、図１でメンテナンス作業用通路と浮力体とを示す浮遊型水質浄化装置の一部切欠拡大平面略図である。
【図１１】は、図１０でメンテナンス作業用通路と浮力体とを示す部分正面略図である。
【符号の説明】
【００３４】
Ａ  原水汚泥槽；
Ｂ  原水凝集槽；
Ｃ  沈降槽；  
Ｄ  濾過槽；
Ｅ  浮力補助タンク；
１０  Ｕ字形本体；
１２  側板；
１２’  底板：
１２’’  排水孔；
１２ａ  三角形突起縁；
１２ｂ  蝶番
１２ｃ  蓋；
１２ｄ  連結桿；
１２ｅ  操作桿；  
１２ｆ  ハンドル；
１４  閉鎖板；
１４ａ  突起；
１４ｂ  折曲縁；
１４ｃ、１４ｄ  貫通孔；
１４ｅ  補強梁；
１４ｆ  ダクト・フランジ；
１６  仕切板；
１８  浮力シート；
１８ａ  浮力体；
１８ｂ  補強兼用浮力フロート；
２０  ダクト；
２４  鋼製Ｕ字形縦通連結チャネル；
２６  手摺；
２８  メンテナンス作業用通路。
【図１】
0004250063.tif 000002
【図２】
0004250063.tif 000003
【図３】
0004250063.tif 000004
【図４】
0004250063.tif 000005
【図５】
0004250063.tif 000006
【図６】
0004250063.tif 000007
【図７】
0004250063.tif 000008
【図８】
0004250063.tif 000009
【図９】
0004250063.tif 000010
【図１０】
0004250063.tif 000011
【図１１】
0004250063.tif 000012